(57)【要約】【課題】グリル庫４１内に、グリル皿４４を支持する皿受け枠４５がグリル庫の前方に引き出し自在に収納され、皿受け枠４５にグリル庫の前面開口を閉じるグリル扉４２が下降自在に連結されたグリルにおいて、グリル扉が下降する際に前傾して、高温に加熱されたグリル扉の上部が手前に変位することを防止する。【解決手段】グリル扉４２を皿受け枠４５に上下方向に平行移動自在に連結する、第１と第２の２つのリンク４８１，４８２で構成される平行リンク機構４８を備える。第１リンク４８１の前端をグリル扉４２の横側面に枢着し、第２リンク４８２の前端をグリル扉４２の背面に枢着する。【選択図】図５
2007071436.tif 000002
【特許請求の範囲】
【請求項１】
グリル庫内に、グリル皿を支持する皿受け枠がグリル庫の前方に引き出し自在に収納され、皿受け枠にグリル庫の前面開口を閉じるグリル扉が連結されたグリルにおいて、
グリル扉を皿受け枠に上下方向に平行移動自在に連結する、第１と第２の２つのリンクで構成される平行リンク機構を備えることを特徴とするグリル。
【請求項２】
前記第１リンクを枢着する前記グリル扉の箇所はグリル扉の横側面であり、前記第２リンクを枢着するグリル扉の箇所はグリル扉の背面であることを特徴とする請求項１記載のグリル。
【発明の詳細な説明】
【技術分野】
【０００１】
本発明は、グリル庫内に、グリル皿を支持する皿受け枠がグリル庫の前方に引き出し自在に収納され、皿受け枠にグリル庫の前面開口を閉じるグリル扉が連結されたグリルに関する。
【背景技術】
【０００２】
従来、この種のグリルとして、皿受け枠に上下方向に揺動自在な揺動フレームを連結し、皿受け枠にこの揺動フレームを介してグリル扉を連結したものが知られている(例えば、特許文献１参照)。これによれば、グリル扉の把手部に手を掛けてグリル扉を手前に引くと揺動フレームを介して皿受け枠がグリル庫の前方に引き出され、次いで、手を下ろすとグリル扉が揺動フレームの下方への揺動で皿受け枠に対し下降する。そのため、グリル皿上の焼き網に被調理物を載せたり取り出す際にグリル扉が邪魔にならず、被調理物の取り扱いが容易になる。
【０００３】
然し、上記従来例のものでは、揺動フレームの下方への揺動に伴いグリル扉が前傾し、高温に加熱されるグリル扉の上部が手前に変位する。そのため、把手部に掛けた手を下ろす際にグリル扉の上部が腕等に触れないように、グリルの前方に十分な間隔を空けて使用者が立つ必要があり、狭いキッチンスペースでは使い勝手が悪くなる。
【特許文献１】特開２００４−２６１２８０号公報(段落００３２、図１２、図１３)
【発明の開示】
【発明が解決しようとする課題】
【０００４】
本発明は、以上の点に鑑み、グリル扉が前傾することなく下降するようにし、狭いキッチンスペースでも使い勝手が良好になるようにしたグリルを提供することをその課題としている。
【課題を解決するための手段】
【０００５】
上記課題を解決するために、本発明は、グリル庫内に、グリル皿を支持する皿受け枠がグリル庫の前方に引き出し自在に収納され、皿受け枠にグリル庫の前面開口を閉じるグリル扉が連結されたグリルにおいて、グリル扉を皿受け枠に上下方向に平行移動自在に連結する、第１と第２の２つのリンクで構成される平行リンク機構を備えることを特徴とする。
【０００６】
本発明によれば、皿受け枠をグリル庫の前方に引き出した状態において、グリル扉は平行リンク機構の働きにより前傾することなく皿受け枠に対し下降する。そのため、高温に加熱されるグリル扉の上部が下降に伴って手前に変位することはない。従って、使用者がグリルの前方の比較的近い位置に立っていても、グリル扉の把手部に掛けた手を下ろす際にグリル扉の上部が腕等に触れるおそれはなく、狭いキッチンスペースでも使い勝手が良好になる。
【０００７】
ところで、平行リンク機構を用いる場合、一般的には、グリル扉の背面に上下方向に離隔させて第１と第２の両リンクの前端部を枢着することが考えられる。この場合、皿受け枠の前後方向同一位置に上下方向に離隔させて第１と第２の両リンクの後端部を枢着することになる。ここで、グリル扉に対する第１と第２の両リンクの枢着部間の距離及び皿受け枠に対する第１と第２の両リンクの枢着部間の距離が短いと、グリル扉がぐらつき易くなる。そして、グリル扉の背面の第１と第２の両リンクの枢着部間の上下方向距離をグリル扉のぐらつきを防止できる程度に長くすると、皿受け枠に対する第１と第２の両リンクの枢着部間の上下方向距離も同様に長くすることが必要になる。その結果、平行リンク機構を含む皿受け枠全体の上下方向寸法が大きくなり、グリルが大型化する。
【０００８】
これに対し、第１リンクを枢着するグリル扉の箇所がグリル扉の横側面であり、第２リンクを枢着するグリル扉の箇所がグリル扉の背面であれば、グリル扉に対する第１リンクの枢着部がグリル扉に対する第２リンクの枢着部より前方に位置することになる。そのため、グリル扉に対する第１と第２の両リンクの枢着部間の距離を両者間の上下方向距離を然程長くせずに確保できる。従って、皿受け枠に対する第１と第２の両リンクの枢着部間の上下方向距離を然程長くせずに済む。その結果、平行リンク機構を含む皿受け枠全体の上下方向寸法の増加を抑制して、グリルの大型化を防止できる。
【発明を実施するための最良の形態】
【０００９】
図１は、システムキッチンのカウンタトップＣＴに組み込むビルトイン式コンロを示している。このコンロのコンロ本体には、前側の左右２個と後側の１個の計３個のコンロバーナ１が設けられている。そして、コンロ本体の上面を覆うようにしてカウンタトップＣＴに載置する天板２に、これらバーナを臨ませる３個のバーナ用開口を形成し、天板２上に、各バーナ用開口を囲うようにして五徳３を載置している。コンロ本体には、更に、グリル４が設けられ、天板２の後部にグリル用の排気口２ａが形成されている。尚、右側と後側のコンロバーナ１は外炎式バーナで構成され、左側のコンロバーナ１は内炎式バーナで構成されている。
【００１０】
カウンタトップＣＴの下で前方に露出するコンロ本体の前面部分には、後述するグリル庫４１の前面開口を閉じるグリル扉４２とその左右の前面パネル５，５とが設けられている。グリル扉４２の前面下部には把手部４２１が設けられている。各前面パネル５には、コンロバーナ１用とグリル４用の操作盤６が前面パネル５の前方に出没自在に組み込まれており、操作盤６の収納状態では、操作盤６の前板６ａが前面パネル５とほぼ面一になる。
【００１１】
グリル４は、図２に示す如く、コンロ本体内に設置されるグリル庫４１を備えている。グリル庫４１には、焼き網４３をその前後に垂設した脚片部４３１を介して載置するグリル皿４４と、グリル皿４４を支持する皿受け枠４５とが収納されている。グリル庫４１の天井部には、下向きの燃焼板４６１を有する上火バーナ４６が装着されている。また、グリル庫４１の左右の各側壁に、焼き網４３より下方に位置させて、内方に張り出す張り出し部４１１を形成し、張り出し部４１１に開設した透孔４１２に臨ませて下火バーナ４７を配置している。かくして、焼き網４３上の被調理物を上火バーナ４６と下火バーナ４７とで上下から焼成する両面焼きグリルが構成される。
【００１２】
グリル庫４１の各側壁には、張り出し部４１１の下方に位置させて、前後方向に長手の固定レール４１３が取付けられている。そして、皿受け枠４５の左右の各側部に、固定レール４１３に対し横方向に対向する前後方向に長手の可動レール４５１を取付けると共に、固定レール４１３と可動レール４５１との間に、両レール４１３，４５１に対しボール４１４ａを介して前後方向に移動自在に係合する中間レール４１４を介挿している。かくして、皿受け枠４５は、これらレール４１３，４１４，４５１に案内されてグリル庫４１の前方に引出し自在となる。従って、皿受け枠４５に支持されるグリル皿４４及びグリル皿４４に載置される焼き網４３をグリル庫４１の前方に引き出して、焼き網４３に被調理物を載せたり取り出したりすることができる。
【００１３】
皿受け枠４５には、図３に示す如く、平行リンク機構４８を介してグリル扉４２が上下方向に平行移動自在に連結されている。以下、平行リンク機構４８について詳述するが、その前に皿受け枠４５について更に説明する。皿受け枠４５は、板金により皿状に形成され、底板部４５２を有する。可動レール４５１を取付ける関係で、底板部４５２の左右の各側部寄りの部分の深さを深くし、底板部４５２の横方向中央部の深さは浅くしている。
【００１４】
平行リンク機構４８は、板金で形成された第１と第２の２個のリンク４８１，４８２で構成されている。第１と第２の両リンク４８１，４８２は、皿受け枠４５の底板部４５２の横方向中央部の下側で、第１リンク４８１を上、第２リンク４８２を下にして前後方向に延在している。そして、第１リンク４８１の前端に、図４に示す如く、皿受け枠４５より前側に位置する横方向に長手の立上り部４８１ａを形成すると共に、立上り部４８１ａの横方向両端に前方に屈曲するアーム部４８１ｂを形成し、各アーム部４８１ｂをグリル扉４２の左右の各横側面に軸４８１ｃにより回転自在に枢着している。尚、図４ではグリル皿４４が取外されている。また、皿受け枠４５の底板部４５２の後部に、底板部４５２の横方向中央部の左右両側に位置させて、図２に示す如く下方への切起し片４５３を形成し、切起し片４５３に第１リンク４８１の後端部を軸４８１ｄにより回転自在に枢着している。
【００１５】
第２リンク４８２の前端には、図４に示す如く、第１リンク４８１の立上り部４８１ａより前側に位置する立上り部４８２ａが形成され、立上り部４８２ａの上縁の左右両端部に爪部４８２ｂを形成している。そして、グリル扉４２の背面の左右２箇所に、前記軸４８１ｃより上方に位置させて、上下の切り込みを有する引掛け部４８２ｃを形成し、各引掛け部４８２ｃに各爪部４８２ｂを係合させ、引掛け部４８２ｃを軸として第２リンク４８２がグリル扉４２に回転自在に枢着されるようにしている。また、皿受け枠４５の底板部４５２の前記切起し片４５３より後側に、底板部４５２の横方向中央部の左右両側に位置させて、図２に示す如く上方への切起し片４５４を形成し、切起し片４５４に第２リンク４８２の後端部を軸４８２ｄにより回動自在に枢着している。
【００１６】
グリル扉４２に対する第１リンク４８１の枢着部たる軸４８１ｃ、グリル扉４２に対する第２リンク４８２の枢着部たる引掛け部４８２ｃ、皿受け枠４５に対する第１リンク４８１の枢着部たる軸４８１ｄ及び皿受け枠４５に対する第２リンク４８２の枢着部たる軸４８２ｄの位置関係は、軸４８１ｃと引掛け部４８２ｃとを結ぶ線と軸４８１ｄと軸４８２ｄとを結ぶ線とが平行で、且つ、軸４８１ｃと引掛け部４８２ｃとの間の距離と軸４８１ｄと軸４８２ｄとの間の距離とが等しくなるように設定される。これにより、グリル扉４２は、皿受け枠４５に対し上下方向に平行移動自在になる。
【００１７】
グリル扉４２の把手部４２１に手を掛けてグリル扉４２を手前に引くと、平行リンク機構４８を介して皿受け枠４５が図３に示す如くグリル庫４１の前方に引き出される。そして、把手部４２１に掛けた手を下ろすと、グリル扉４２が自重で下降する。この際、平行リンク機構４８の働きにより、グリル扉４２は、図５に示すように前傾することなく皿受け枠４５に対し下降する。そのため、高温に加熱されるグリル扉４２の上部が下降に伴って手前に変位することはない。従って、使用者がグリル４の前方の比較的近い位置に立っていても、グリル扉４２の把手部４２１に掛けた手を下ろす際にグリル扉４２の上部が腕等に触れるおそれはない。そのため、キッチンが狭く、グリルの前方に広いスペースを確保できない場合でも使い勝手が良好になる。
【００１８】
尚、第２リンク４８２の後端には後方にのびるストッパ部４８２ｅが設けられており、ストッパ部４８２ｅが皿受け枠４５の底板部４５２に当接したところでグリル扉４２のそれ以上の下降が阻止される。そして、ストッパ部４８２ｅで規制されるグリル扉４２の下降端位置を、グリル扉４２の上端が焼き網４３と同等高さになるように設定している。そのため、グリル扉４２に邪魔されることなく焼き網４２に被調理物を載せたり取り出すことができ、被調理物の取り扱いが容易になる。
【００１９】
ところで、グリル扉４２のぐらつきを防止するには、軸４８１ｃと引掛け部４８２ｃとの間の距離及び軸４８１ｄと軸４８２ｄとの間の距離をある程度以上の長さにする必要がある。本実施形態では、グリル扉４２に対する第１リンク４８１の枢着部たる軸４８１ｃがグリル扉４２の横側面に設けられていることから、グリル扉４２の背面に設けた第２リンク４８２の枢着部たる引掛け部４８２ｃよりも前方に軸４８１ｃが位置する。そのため、軸４８１ｃと引掛け部４８２ｃとの間の距離を両者４８１ｃ，４８２ｃ間の上下方向距離を然程長くせずに確保できる。従って、皿受け枠４５に対する第１と第２の両リンク４８１，４８２の枢着部たる軸４８１ｄ，４８２ｄ間の上下方向距離も然程長くせずに済み、両軸４８１ｄ，４８２ｄを皿受け枠４５の側部の可動レール４５１の上下方向幅内に収まるように配置することが可能になる。その結果、平行リンク機構４８を含む皿受け枠４５全体の上下方向寸法の増加を抑制して、グリル４の大型化を防止することができる。
【００２０】
以上、コンロに組み込むグリルに本発明を適用した実施形態について説明したが、コンロに組み込まない独立したグリルにも同様に本発明を適用できる。
【図面の簡単な説明】
【００２１】
【図１】本発明の実施形態のグリルを組み込んだコンロを示す斜視図。
【図２】実施形態のグリルの後方から見た横断面図。
【図３】実施形態のグリルの皿受け枠を引き出した状態の側面図。
【図４】実施形態のグリルのグリル扉と平行リンク機構の連結状態を示す要部の斜視図。
【図５】実施形態のグリルのグリル扉を下降させた状態の側面図。
【符号の説明】
【００２２】
４…グリル、４１グリル庫、４２…グリル扉、４４…グリル皿、４５皿受け枠、４８…平行リンク機構、４８１…第１リンク、４８２…第２リンク
【図１】
2007071436.tif 000003
【図２】
2007071436.tif 000004
【図３】
2007071436.tif 000005
【図４】
2007071436.tif 000006
【図５】
2007071436.tif 000007